(57)【要約】【課題】マウスを使用するとき、その接続コードが周囲の定置物に当ったりキーボードの角部に引っかかったりしてマウスがスムーズに移動できないことがないようにしてマウスの操作性の向上を図る。【解決手段】マウス１０の主として前側部に複数の接続コード引出し穴１５ａ、１５ｂ、１５ｃを設け、マウスを使用する際そのいずれか１つを選択し、その選択した接続コード引出し穴から接続コード１４を外部に引き出すようにした。【選択図】　　　図１
2004094712.tif 000002
【特許請求の範囲】
【請求項１】
上側筐体と下側筐体との間に予め定めた間隔で複数の接続コード引出し穴を備え、前記複数の接続コード引出し穴のいずれかが選択され、選択された前記接続コード引出し穴より接続コードが外部に引き出されることを特徴とする接続コード位置選択可能型マウス。
【請求項２】
前記複数の接続コード引出し穴は、前記筐体の左右側面側と前方側に設けられることを特徴とする請求項１に記載の接続コード位置選択可能型マウス。
【請求項３】
上側筐体と下側筐体との間に２個のチャックを有するファスナを備え、前記２個のチャックの間より接続コードが外部に引き出されることを特徴とする接続コード位置選択可能型マウス。
【請求項４】
上側筐体と下側筐体との間に接続コードを取り付ける複数の接続コード引出し穴が連続的に設けられた波状形の隙間を備え、前記連続的に設けられた複数の接続コード引出し穴に沿って前記接続コードが移動されることを特徴とする接続コード位置選択可能型マウス。
【発明の詳細な説明】
【０００１】
【発明の属する技術分野】
本発明は、定置物に接続コードが当接し狭い範囲に制約を受けることを防止し、マウスの操作性の向上を図る接続コード位置選択可能型マウスに関する。
【０００２】
【従来の技術】
マウスは、パソコンなどのコンピュータ装置の入力装置として広く使用され、マウスパッド上で移動が行われることによって裏面に設けたボールが回転しモニタ上のカーソルが移動し、マウスの操作スイッチの操作により情報の入力や決定などが行われる。
【０００３】
図５は、従来のマウス５０、７０の使用状況図を示し、図５（ａ）は、従来のマウス５０がデスクトップ型のパソコン４０に使用されるときの使用状況図を示し、図５（ｂ）は、従来のマウス７０がノート型のパソコン６０に使用されるときの使用状況図を示す。
【０００４】
図５（ａ）に示すように、デスクトップ型のパソコン４０は、モニタ４２と、パソコン本体４３と、操作盤４１とにより構成され、例えばラック４９の上に設置される。マウス５０は、ラック４９の上に設置されたマウスパッド４８の上に置かれ、マウス５０の前側面より引き出された接続コード５４を介しパソコン本体４３に接続している。
【０００５】
また、図５（ｂ）に示すように、ノート型のパソコン６０は、モニタ６２と、操作盤６１付きのパソコン本体とにより構成され、例えば事務机６９に設置される。マウス７０は、事務机６９の上に設置されたマウスパッド６８の上に置かれ、マウス７０の前側面より引き出された接続コード７４を介しパソコン本体６０に接続している。
【０００６】
しかしながら、図５（ｃ）に示すように、マウス５０が、マウスパッド４８の上を移動し操作盤４１に近づいたとき、マウス５０の前側面より引き出された接続コード５４が操作盤４１に当接し、マウス５０の移動範囲が狭い範囲に制約を受けることがある。
【０００７】
そのため、マウス５０の移動範囲が狭くなり、１回のマウス５０の操作ではモニタ４２の上を目的のカーソル移動ができず、操作性が損なわれることがある。マウス７０の場合にも同様の問題があり、操作盤４１、６１に限らず、マウス５０、７０の前方に定置物がある場合に、同様の問題が発生する。この問題の解決のため、マウス５０、７０の側面側より接続コード５４、７４を取り出すことも考えられるが、マウス５０、７０の側面側に定置物がある場合には同様の問題が発生する。
【０００８】
【発明が解決しようとする課題】
本発明は、このような従来の問題に鑑みてなされたもので、マウスの操作に当たり、マウスから引き出された接続コードが定置物に当接し操作上制約を受けることを防止してマウスの移動可能範囲を広め、マウスの操作性の向上を図る接続コード位置選択可能型マウスを提供することを目的とする。
【０００９】
【課題を解決するための手段】
本発明の接続コード位置選択可能型マウスは、上側筐体と下側筐体との間に予め定めた間隔で複数の接続コード引出し穴を備え、前記複数の接続コード引出し穴のいずれかが選択され、選択された前記接続コード引出し穴より接続コードが外部に引き出されることとした。
【００１０】
また、前記複数の接続コード引出し穴は、前記筐体の左右側面側と前方側に設けられることとした。
【００１１】
また、上側筐体と下側筐体との間に２個のチャックを有するファスナを備え、前記２個のチャックの間より接続コードが外部に引き出されることとした。
【００１２】
さらに、上側筐体と下側筐体との間に接続コードを取り付ける複数の接続コード引出し穴が連続的に設けられた波状形の隙間を備え、前記連続的に設けられた複数の接続コード引出し穴に沿って前記接続コードが移動されることとした。
【００１３】
【発明の実施の形態】
以下、本発明の実施の形態について説明する。
【００１４】
図１は、本発明の第１の実施の形態の接続コード位置選択可能型マウス１０の構造図を示し、図１（ａ）は、側面図を示し、図１（ｂ）は、下側筐体１１ａの平面図を示す。
【００１５】
本発明の第１の実施の形態の接続コード位置選択可能型マウス１０は、図１（ａ）に示すように、下側筐体１１ａと上側筐体１１ｂとが接合され、下側筐体１１ａにはボール１２が回転自在に取り付けられ、上側筐体１１ｂには操作スイッチ１６が取り付けられ、下側筐体１１ａと上側筐体１１ｂとの間に設けられた左側接続コード引出し穴１５ａより接続コード１４が引き出されている。
【００１６】
また、図１（ｂ）に示すように、下側筐体１１ａには、ボール１２が回転自在に取り付けられ、ボール１２の回転を電気信号として出力する回路基板１３が取り付けられている。下側筐体１１ａの上側筐体１１ｂとの接合部には、前側中央部に接続コード引出し穴１５ｂが、左右にはマウスの左右両側にマウスの縦中心線に対して９０度の範囲内、好ましくは５０〜７０度の範囲内に左側接続コード引出し穴１５ａと右側接続コード引出し穴１５ｃとが設けられ、接続コード１４は、左側接続コード引出し穴１５ａ、前側接続コード引出し穴１５ｂ、右側接続コード引出し穴１５ｃのいずれかを通して回路基板１３から外部に引き出される。左側接続コード引出し穴１５ａ、前側接続コード引出し穴１５ｂ、右側接続コード引出し穴１５ｃのいずれから引き出すかは使用者がマウスの使用場所などを考慮して使い勝手が良いように任意に選択することができる。
【００１７】
図２は、本発明の第１の実施の形態の接続コード位置選択可能型マウスにおける接続コード１４の引出し状態を示しており、図２（ａ）は、接続コード１４がマウスの左側から引き出された状態を示し、図２（ｂ）は、接続コード１４がマウスの前側から引き出された状態を示し、図２（ｃ）は、接続コード１４がマウスの右側から引き出された状態を示す。
【００１８】
図２（ａ）に示すマウス１０Ａは、マウス１０Ａの左側から接続コード１４を引き出したものであり、図１（ｂ）の左側接続コード引出し穴１５ａを使い接続コード１４を引き出している。この場合には、マウス１０Ａの前方にパソコンの操作盤などの定置物が設置されていたとしても、マウス１０Ａの前方には接続コード１４はないため、定置物に接続コード１４が当接し狭い範囲に制約を受けることはなく、マウス１０Ａの移動可能範囲を広く使用でき、操作性の向上を図ることができる。
【００１９】
図２（ｂ）に示すマウス１０Ｂは、マウス１０Ｂの前側から接続コード１４を引き出したものであり、図１（ｂ）の前側接続コード引出し穴１５ｂを使い接続コード１４を引き出している。この場合には、マウス１０Ｂの側方に定置物が設置されていたとしても、マウス１０Ｂの側方には接続コード１４はないため、定置物に接続コード１４が当接し狭い範囲に制約を受けることはなく、マウス１０Ｂの移動可能範囲を広く使用でき、操作性の向上を図ることができる。
【００２０】
図２（ｃ）に示すマウス１０Ｃは、マウス１０Ｃの右側から接続コード１４を引き出したものであり、図１（ｂ）の右側接続コード引出し穴１５ｃを使い接続コード１４を引き出している。この場合には、マウス１０Ｃの前方にパソコンの操作盤などの定置物が設置されていたとしても、マウス１０Ｃの前方には接続コード１４はないため、定置物に接続コード１４が当接し狭い範囲に制約を受けることはなく、マウス１０Ｃの移動可能範囲を広く使用でき、操作性の向上を図ることができる。
【００２１】
なお、図１では、接続コード１４は、左側接続コード引出し穴１５ａ、前側接続コード引出し穴１５ｂ、右側接続コード引出し穴１５ｃのいずれかを選択して外部に引き出すようにしたが、接続コード引出し穴を複数設けることも、また、マウス１０の後方側に設けることもできる。
【００２２】
以上述べたように、本発明の第１の実施の形態の接続コード位置選択可能型マウス１０は、マウス１０の移動方向に定置物が設置されていたとしても、左側接続コード引出し穴１５ａ、前側接続コード引出し穴１５ｂ、右側接続コード引出し穴１５ｃにより、定置物のある方向には接続コード１４は引き出されないようにできるため、定置物に接続コード１４が当接するおそれはなくなり、マウス１０を自由に広い範囲で動かすことができ、操作性の向上を図ることができる。
【００２３】
図３は、本発明の第２の実施の形態の接続コード位置選択可能型マウスの構造図を示す。
【００２４】
本発明の第２の実施の形態の接続コード位置選択可能型マウス２０は、図３に示すように、下側筐体２１ａと上側筐体２１ｂとが接合され、下側筐体２１ａと上側筐体２１ｂとの接合部の前方側（図において左側）に設けられた隙間に沿ってファスナ２５が設けられている。ファスナ２５の左右のチャック２６ａ、２６ｂに挟まれて接続コード２４が外部に引き出されている。
【００２５】
チャック２６ａ、２６ｂのフック２７ａ、２７ｂを矢印Ｐ１またはＰ２に示すように、左方向または右方向に移動させることにより、接続コード２４を所望の位置まで移動させることができる。
【００２６】
以上述べたように、本発明の第２の実施の形態の接続コード位置選択可能型マウス２０は、マウス２０の移動方向に定置物が設置されていたとしても、ファスナ２５により接続コード２４の位置を自由に変えて定置物のある方向には接続コード２４が引き出されないようにできるため、定置物による制約を受けることなく、マウス２０を広い範囲で使用でき、操作性の向上を図ることができる。
【００２７】
図４は、本発明の第３の実施の形態の接続コード位置選択可能型マウス３０の接続コード引出し部を示す。
【００２８】
本実施の形態の場合は、図４に示すように、下側筐体３１ａと上側筐体３１ｂとの接合部の前方側に沿って連続して波形の隙間３５が設けられ、これによりコード引出し穴３６が形成される。そこで接続コード３４はこの接続コード引出し穴３６を通して外部に引き出される。
【００２９】
接続コード３４に矢印Ｐ１またはＰ２に示すように左方向または右方向の力を加えることにより、接続コード３４を接続コード引出し穴３６に沿って所望の位置まで移動させることができる。
【００３０】
以上述べたように、本発明の第３の実施の形態の接続コード位置選択可能型マウス３０は、マウス３０の移動方向に定置物が設置されていたとしても、連続的に設けられた接続コード引出し穴３６により、定置物のある移動方向には接続コード３４は引き出されないようにできるため、定置物に接続コード３４が当接し狭い範囲に制約を受けることはなく、マウス３０の移動可能範囲を広く使用でき、操作性の向上を図ることができる。
【００３１】
なお、上記した本発明の実施の形態では、接続コード１４、２４、３４の引き出し位置は、生産時に特定の位置に決定して生産することも、ユーザや販売店で使用状況に応じて所望の位置に変更することもできる。
【００３２】
【発明の効果】
本発明の接続コード位置選択可能型マウスは、上側筐体と下側筐体との間に予め定めた間隔で複数の接続コード引出し穴を備え、前記複数の接続コード引出し穴のいずれかが選択され、選択された前記接続コード引出し穴より接続コードが外部に引き出されることとしたため、マウスの移動方向に定置物が設置されていたとしても、複数の接続コード引出し穴の中から適当な穴を選ぶことにより、定置物のある方向には接続コードが引き出されないようにできるので、マウスを操作したとき定置物に接続コードが当接することはなく、使用場所に制約があってもその影響を受けることなく、またマウスがキーボードの角部に引っかかったり絡んだりすることなくスムーズに移動できるため操作性が向上する。
【００３３】
また、前記複数の接続コード引出し穴は、前記筐体の左右側面と前方に設けられることとしたため、簡潔的確に定置物のある移動方向には接続コードは引き出されないようにすることができる。
【００３４】
また、上側筐体と下側筐体との間に２個のチャックを有するファスナを備え、前記２個のチャックの間より接続コードが外部に引き出されることとしたため、マウスの移動方向に定置物が設置されていたとしても、ファスナにより、定置物のある移動方向には接続コードは引き出されないようにでき、定置物に接続コードが当接し狭い範囲に制約を受けることはなく、マウスの移動可能範囲を広く使用でき、接続コードによる煩わしさから開放され、操作性の向上を図ることができる。
【００３５】
さらに、上側筐体と下側筐体との間に接続コードを取り付ける複数の接続コード引出し穴が連続的に設けられた波状形の隙間を備え、前記連続的に設けられた複数の接続コード引出し穴に沿って前記接続コードが移動されることとしたため、マウスの移動方向に定置物が設置されていたとしても、連続的に設けられた接続コード引出し穴により、定置物のある移動方向には接続コードは引き出されないようにできるので、定置物に接続コードが当接しそうな狭い範囲でもマウスをスムーズに移動することができてマウスの操作性を向上することができる。
【図面の簡単な説明】
【図１】本発明の第１の実施の形態の接続コード位置選択可能型マウスの構造図を示し、図１（ａ）は、マウスの側面図を示し、図１（ｂ）は、上側筐体を外したマウスの下側筐体の平面図を示す。
【図２】本発明の第１の実施の形態の接続コード位置選択可能型マウスにおける接続コードの引出し状態を示し、図２（ａ）は、接続コードがマウスの左側から引き出された状態を示し、図２（ｂ）は、接続コードがマウスの上側から引き出された状態を示し、図２（ｃ）は、接続コードがマウスの右側から引き出された状態を示す。
【図３】本発明の第２の実施の形態の接続コード位置選択可能型マウスの接続コードの引出し部の他の例を示す。
【図４】本発明の第３の実施の形態の接続コード位置選択可能型マウスの接続コードの引出し部のさらに他の例を示す。
【図５】図５（ａ）は、従来のマウスがデスクトップ型のパソコンに使用されるときの使用状況図を示し、図５（ｂ）は、従来のマウスがノート型のパソコンに使用されるときの使用状況図を示し、図５（ｃ）は従来のマウスを示す。
【符号の説明】
１０、２０、３０　接続コード位置選択可能型マウス
１１ａ、２１ａ、３１ａ　下側筐体
１１ｂ、２１ｂ、３１ｂ　上側筐体
１２　ボール
１３　回路基板
１４、２４、３４　接続コード
１５ａ　左側接続コード引出し穴
１５ｂ　前側接続コード引出し穴
１５ｃ　右側接続コード引出し穴
１６　操作スイッチ
２５　ファスナ
２６ａ、２６ｂ　チャック
２７ａ、２７ｂ　フック
３５　波状形の隙間
３６　接続コード引出し穴
【図１】
2004094712.tif 000003
【図２】
2004094712.tif 000004
【図３】
2004094712.tif 000005
【図４】
2004094712.tif 000006
【図５】
2004094712.tif 000007